(57)【要約】【課題】リモコンが故障したり、リモコン電池が切れた場合でも、使用者が操作する制御手段の使い勝手を向上させる面状採暖具を提供すること。【解決手段】発熱体１６を内臓した発熱体ユニット１５と、発熱体１６の温度を制御する制御手段１７と、制御手段１７への電源供給を行う電源スイッチ２１と、制御手段１７における発熱体１６の制御温度を設定するための温度設定手段２８とからなり、温度設定手段２８が電源スイッチ２１のオン時に、設定可能な最も高い制御温度に設定することにより、電源スイッチ２１をオンするだけで、高温設定となるので設定温度を変更しなくても使用可能となり、万一、リモコン１９が故障したり、リモコンの電池が切れても暖房することができる。【選択図】　図４
2004061047.tif 000002
【特許請求の範囲】
【請求項１】
発熱体を内臓した発熱体ユニットと、前記発熱体の温度を制御する制御手段と、前記制御手段への電源供給を行う電源スイッチと、前記制御手段における前記発熱体の制御温度を設定するための温度設定手段とからなり、前記温度設定手段は、前記電源スイッチのオン時に、設定可能な最も高い制御温度に設定することを特徴とする面状採暖具。
【請求項２】
温度設定手段は、リモコンからの送信信号に基づいて制御手段における制御温度を決定することを特徴とする請求項１に記載の面状採暖具。
【請求項３】
発熱体を内臓した発熱体ユニットと、前記発熱体の温度を制御する制御手段と、前記制御手段への電源供給を行う電源スイッチと、前記制御手段における前記発熱体の制御温度を設定するための温度設定手段と、操作の為のリモコンとからなり、前記温度設定手段は、前記電源スイッチのオン時に、設定可能な最低温度と最高温度の間の制御温度に設定することを特徴とする面状採暖具。
【請求項４】
室温を検出するための室温検出手段を有し、温度設定手段は、電源スイッチのオン時に、室温設定手段の検出値に応じて、制御温度を決定することを特徴とする請求項３に記載の面状採暖具。
【請求項５】
発熱体を内臓した発熱体ユニットと、前記発熱体の温度を制御する制御手段と、前記制御手段への電源供給を行う電源スイッチと、前記制御手段における前記発熱体の制御温度を設定するための温度設定手段と、前記温度設定手段の設定を記憶するための不揮発性メモリーと、操作の為のリモコンとからなり、前記温度設定手段は、前記電源スイッチのオン時に、前記不揮発性メモリーに記憶されている電源オフ前に設定されていた制御温度に設定することを特徴とする面状採暖具。
【発明の詳細な説明】
【０００１】
【発明の属する技術分野】
本発明は、電気カーペット等の面状採暖具に関するものである。
【０００２】
【従来の技術】
従来、この種の面状採暖具としては、例えば、図７及び図８に記載されているようなものがあった。
【０００３】
図７において、１は発熱体２を内臓する発熱体ユニット、３は発熱体ユニット１の一隅部に設けられた電気接続部、４は発熱体ユニット１に内臓する発熱体２の温度を制御する制御手段、５は信号を受信し電気信号に変換して制御手段４へ信号を伝える受信機、６は受信機５へ信号を送信するリモコン、７はリモコン６の先端部に設けられた送信部である。発熱体ユニット１は、着脱が可能な電気接続部３を介して接続コード８により、制御手段４に電気的に接続していた。制御手段４及びリモコン６は、保持具９によって、壁面１０にも取り付けられるような構成になっていた。
【０００４】
図８は、制御手段４を壁面１０に取り付けた状態を示す正面図及び側面図である。保持具９には、取付孔９ａが設けられ、その取付孔９ａを貫通させて、取付ねじ１１により、壁面１０に保持具９が固定され、その保持具９に制御手段４が出し入れ可能な状態で装着されていた。１２は制御手段４への電源の供給を行う電源スイッチであり、制御手段４には、発熱体ユニット１に内臓する発熱体２の制御温度を設定するための温度設定手段１３が設けられている。温度設定手段１３をリモコン位置に設定することにより、リモコン６での対応が可能となるようになっていた。１４は発熱体１の暖房面積を切換える暖房面積切換手段であり、操作することにより、全面及び半面が切換えられるようになっている。
【０００５】
【発明が解決しようとする課題】
しかしながら、前記従来の構成では、発熱体２を内臓する発熱体ユニット１が着脱可能な電気接続部３を介して接続コード８によって制御手段４へ電気的に接続されていたり、制御手段４を壁面１０に取り付けられない時は、制御手段４が床面に置かれた状態で使用されていたので、接続コード８や制御手段４が使用者にとって非常に邪魔なものとなり、踏み付けたり、蹴つまずいたりして、使用する上でとても不安全であるという課題を有していた。
【０００６】
また、リモコン６が故障したり、リモコン６の電池が切れた場合、制御手段４が使用場所から離れた壁面１０に取り付けられているので、使用者が発熱体ユニット１の表面温度を調節する時、その都度、使用場所から離れたところにある制御手段４に設けられた温度設定手段１３を操作しなければならないので、使い勝手が非常に悪いという課題を有していた。
【０００７】
本発明は、前記従来の課題を解決するもので、接続コードや制御手段が邪魔にならずに使用時の安全性を向上させるとともに、温度設定スイッチが故障したり、操作の為のリモコンが故障したり、或いはリモコンの電池が切れた場合でも、電源を入れるだけで暖房を行うことができ、使用者が操作する制御手段の使い勝手を向上させた面状採暖具を提供することを目的とする。
【０００８】
【課題を解決するための手段】
前記従来の課題を解決するために、本発明の面状採暖具は、発熱体を内臓した発熱体ユニットと、発熱体の温度を制御する制御手段と、制御手段への電源供給を行う電源スイッチと、制御手段における発熱体の制御温度を設定するための温度設定手段とからなり、電源スイッチのオン時に、温度設定手段が、制御温度を自動的に暖房可能な温度に設定することを特徴としたものである。
【０００９】
これによって、電源スイッチをオンするだけで、暖房が可能な制御温度に設定されるので設定温度を変更しなくても使用可能となり、万一、温度設定スイッチの故障、或いは温度設定スイッチがリモコンにある場合に、リモコンが故障したり、リモコンの電池が切れても暖房を行うことが出来る。
【００１０】
【発明の実施の形態】
請求項１に記載の発明は、発熱体を内臓した発熱体ユニットと、発熱体の温度を制御する制御手段と、制御手段への電源供給を行う電源スイッチと、制御手段における発熱体の制御温度を設定するための温度設定手段とからなり、温度設定手段は、電源スイッチのオン時に、設定可能な最も高い制御温度に設定することにより、電源スイッチをオンするだけで、高温設定となるので設定温度を変更しなくても使用可能となり、万一、温度設定スイッチが故障しても暖房することができる。
【００１１】
請求項２に記載の発明は、特に、請求項１に記載の温度制御手段がリモコンからの送信信号に基づいて制御手段における制御温度を決定するようにしたもので、本体に温度設定スイッチを設けない面状採暖具において、リモコンが故障したり、リモコンの電池が切れても、本体の電源スイッチをオンすれば、温度設定の変更はできないが、暖房することができる。
【００１２】
請求項３に記載の発明は、発熱体を内臓した発熱体ユニットと、発熱体の温度を制御する制御手段と、制御手段への電源供給を行う電源スイッチと、制御手段における発熱体の制御温度を設定するための温度設定手段と、操作の為のリモコンとからなり、温度設定手段は、電源スイッチのオン時に、設定可能な最低温度と最高温度の間の制御温度に設定することにより、リモコンの電池が切れても、本体の電源スイッチをオンすれば、温度設定の変更はできないが、暖房することができる。
【００１３】
請求項４に記載の発明は、特に、請求項３に記載の温度を制御する制御手段に室温を検出するための室温検出手段を有し、温度設定手段は、電源スイッチのオン時に、室温設定手段の検出値に応じて、制御温度を決定することにより、室温に応じて制御温度を決定するので、体感的に丁度良い温度で制御することができる。
【００１４】
請求項５に記載の発明は、発熱体を内臓した発熱体ユニットと、発熱体の温度を制御する制御手段と、制御手段への電源供給を行う電源スイッチと、制御手段における発熱体の制御温度を設定するための温度設定手段と、温度設定手段の設定を記憶するための不揮発性メモリーと、操作の為のリモコンとからなり、温度設定手段は、電源スイッチのオン時に、不揮発性メモリーに記憶されている電源オフ前に設定されていた制御温度に設定することにより、電源オフ前に使用していた制御温度に自動的に復帰するので、使い勝手を向上することができる。
【００１５】
【実施例】
以下、本発明の実施例について、図面を参照しながら説明する。
【００１６】
（実施例１）
図１は、本発明の第１の実施例における面状採暖具の斜視図であり、図２は、図２は、本発明の第１の実施例における面状採暖具の制御手段部の平面拡大図である。図３は、本発明の第１の実施例における面状採暖具の図２のＡ−Ａ断面図を示すものである。
【００１７】
図１において、１５は、発熱体１６を内臓する発熱体ユニットであり、発熱体ユニット１５の一隅部の下面には、発熱体ユニット１５の表面温度等を制御する制御手段１７が設けられており、この制御手段１７は、着脱自在な電源コード１８と電気的に接続している。制御手段１７の上面コーナー部には、リモコン１９からの信号を受信して電気信号に変換して制御手段１７へ信号を伝える受信機２０が設けられている。また、制御手段１７の側面部には、発熱体ユニット１５への通電を入切する電源スイッチ２１が設けられている。制御手段１７の受信機２０へ信号を送るリモコン１９は、ホルダー２２によって壁面等に取り付けて使用することもできるようになっている。また、ホルダー２２により、リモコン１９を取り出して使用することも可能になっている。
【００１８】
図２及び図３で、発熱体ユニット１５と制御手段１７の構成について、詳しく説明する。２３は発熱体１６を配設した発熱体基材であり、小さな穴（図示せず）が開口している。発熱体基材２３は、塩ビシート等からなる表面材２４の裏面に仮止めされた後、ポリエチレン等の樹脂シートでできた裏材２５の上に散布された軟質発泡体２６の上方に配置され、金型で押圧成形し、軟質発泡体２６を発泡させている。この時、発熱体ユニット１５の一隅部に制御手段１７をカバーする制御ケース２７を取り付けるための空間を確保するために軟質発泡体２６が回り込まないようにしている。軟質発泡体２６発泡時の発泡圧により、発熱体基材２３に明けた小さな穴から表面材２４側に軟質発泡体２６が滲み出して表面材２４の裏面にソリッド状に付着し、表面材２４と発熱体１６を配設した発熱体基材２３と裏材２５が一体的に接着され、発熱体ユニット１５が構成されている。表面材２４の裏面側の軟質発泡体２６が回り込まない発熱体ユニット１５の一隅部に両面テープ等で制御ケース２７を貼り付けて固定している。制御ケース２７の上面部には、リモコン１９からの信号を受信して電気信号に変換して制御手段１７へ信号を伝える受信機２０が設けられ、制御ケース２７の側面部には、制御手段１７を介して発熱体ユニット１５への通電を入切する電源スイッチ２１が設けられている。発熱体ユニット１５に設けたスイッチは、この電源スイッチ２１のみで、発熱体ユニット１５の表面温度の設定や暖房面積の切換え等を行うための操作スイッチ１９ａがリモコン１９に備えられており、リモコン１９を操作することによって行えるようになっている。
【００１９】
図４は、本実施例のブロック図を示したもので、発熱体１６を内臓した発熱体ユニット１５と、発熱体１６の温度を制御する制御手段１７と、制御手段１７への電源供給を行う電源スイッチ２１と、制御手段１７における発熱体１６の制御温度を設定するための温度設定手段２８とからなり、温度設定手段２８は、電源スイッチ２１のオン時に、設定可能な最も高い制御温度に設定することにより、電源スイッチ２１をオンするだけで、高温設定となるので設定温度を変更しなくても使用可能となっている。
【００２０】
また、温度制御手段２８がリモコン１９からの送信信号に基づいて制御手段１７における制御温度を決定することにより、リモコンが故障したり、リモコン１９の電池が切れても、発熱体ユニット１５の電源スイッチ２１をオンすれば、温度設定の変更はできないが、暖房することができる。
【００２１】
（実施例２）
図５は、本発明の第２の実施例を示すブロックであり、実施例１と異なる点は、室温検出手段２９を有している点と、電源スイッチ２１をオンした時に、温度設定手段２８による設定温度が室温検出手段２９による検出温度に基づいて、設定可能な最高温度と最小温度の間の任意の温度に設定される点である。他の構成は実施例１と同じであるので説明を省略する。
【００２２】
ここで、温度設定手段２８は、電源スイッチ２１のオン時に、設定可能な最低温度と最高温度の間の制御温度に設定するように構成されているので、リモコン１９の電池が切れても、発熱体ユニット１５の電源スイッチ２１をオンすれば、温度設定の変更はできないが、暖房することができる。
【００２３】
さらに、温度設定手段２８が、電源スイッチ２１のオン時に、室温設定手段２９の検出値に応じて、制御温度を決定することにより、室温に応じて制御温度を決定するので、体感的に丁度良い温度で制御することができる。
【００２４】
（実施例３）
図６は、本発明の第３の実施例を示すブロックであり、実施例２と異なる点は、不揮発性メモリ３０を有している点と、電源スイッチ２１をオンした時に、温度設定手段２８による設定温度が不揮発性メモリ３０に記憶されている電源オフ前の温度設定に基づいて、設定される点であり、電源スイッチオンにより、再び電源オフ時の温度設定に設定される点である。他の構成は実施例２と同じであるので説明を省略する。
【００２５】
ここで、温度設定手段２８は、電源スイッチのオン時に、不揮発性メモリ３０に記憶されている電源オフ前に設定されていた制御温度に設定することにより、電源オフ前に使用していた制御温度に自動的に復帰するので、使い勝手を向上することができる。
【００２６】
【発明の効果】
以上のように、請求項１〜５に記載の発明によれば、制御手段が邪魔にならず、使用者が使用場所から比較的近い位置で操作を行うことが可能となり、非常に使い勝手が向上させることができる。また、万一、リモコンが故障したり、リモコンに内臓した電池が切れた時には、制御手段に設けた電源スイッチをオンすれば、発熱体ユニットの表面温度の調節は出来ないが、任意の温度で暖房することができる。
【図面の簡単な説明】
【図１】本発明の実施例１における面状採暖具の斜視図
【図２】本発明の実施例１における面状採暖具の制御手段部の平面拡大図
【図３】本発明の実施例１における面状採暖具の図３のＡ−Ａ断面図
【図４】本発明の実施例１における面状採暖具の構成要素を示すブロック図
【図５】本発明の実施例２における面状採暖具の構成要素を示すブロック図
【図６】本発明の実施例３における面状採暖具の構成要素を示すブロック図
【図７】従来の面状採暖具の斜視図
【図８】従来の面状採暖具の制御手段を壁面に取り付けた状態を示す正面図及び側面図
【符号の説明】
１５　発熱体ユニット
１６　発熱体
１７　制御手段
１９　リモコン
２１　電源スイッチ
２８　温度設定手段
２９　室温検出手段
３０　不揮発性メモリー
【図１】
2004061047.tif 000003
【図２】
2004061047.tif 000004
【図３】
2004061047.tif 000005
【図４】
2004061047.tif 000006
【図５】
2004061047.tif 000007
【図６】
2004061047.tif 000008
【図７】
2004061047.tif 000009
【図８】
2004061047.tif 000010